(57)【要約】      （修正有）【課題】カゴの昇降作動中における搬送対象物の温度変化を抑制できる保温効果の高いカゴを備えた小荷物昇降機を提供する。【解決手段】カゴ６の出し入れ口６Ｍの周縁部と閉じ位置のカゴ戸７との間を遮蔽する遮蔽手段Ｒが設けられている小荷物昇降機を構成した。【選択図】図４
2008214015.tif 000002
【特許請求の範囲】
【請求項１】
小荷物を出し入れする出し入れ口を備えた小荷物搬送用のカゴと、
前記出し入れ口を開閉するように前記カゴに設けたスライド開閉式のカゴ戸とが設けられた小荷物昇降機であって、
前記カゴの出し入れ口の周縁部と閉じ位置の前記カゴ戸との間を遮蔽する遮蔽手段が設けられている小荷物昇降機。
【請求項２】
前記遮蔽手段が、前記カゴ戸又は前記カゴに装備されて、相手側に対して接触作用するシール体にて構成されていることを特徴とする請求項１記載の小荷物昇降機。
【請求項３】
前記遮蔽手段が、前記カゴ戸を閉じ位置において前記カゴの出し入れ口の周縁部に接近又は密着する状態に位置させるように前記カゴ戸を移動させるカゴ戸接近移動操作手段にて構成されている請求項１記載の小荷物昇降機。
【請求項４】
前記カゴ戸をスライド開閉自在に案内する案内機構が、前記カゴ戸を閉じ位置の近くから閉じ位置との間において閉じ位置に近づくほど前記カゴの出し入れ口の周縁部に接近する側に案内するように構成されて、前記カゴ戸接近移動操作手段として機能するように構成されている請求項３記載の小荷物昇降機。
【請求項５】
前記カゴ戸の両横側部をスライド開閉自在に案内する案内枠が、案内作用部にて前記カゴ戸の両横側部を嵌合支持する状態で、且つ、前記案内作用部と前記カゴとの間を遮蔽する遮蔽部を備える状態で設けられて、前記遮蔽手段の少なくとも一部として機能するように構成されている請求項１記載の小荷物昇降機。
【発明の詳細な説明】
【技術分野】
【０００１】
本発明は、小荷物を出し入れする出し入れ口を備えた小荷物搬送用のカゴと、前記出し入れ口を開閉するように前記カゴに設けたスライド開閉式のカゴ戸とが設けられた小荷物昇降機に関する。
【背景技術】
【０００２】
上記小荷物昇降機の従来例として、カゴ戸を閉じ位置に位置保持するロック機構が備えられたものがある（例えば、特許文献１参照。）。
【０００３】
上記従来の小荷物昇降機は、カゴを昇降作動させる間は、ロック機構を作用させることにより、カゴが昇降作動している最中にカゴが僅かに上下動を繰り返す踊りの発生を防止して、カゴが昇降作動している間は、カゴ戸を閉じ位置に維持することができるようになっている。
【０００４】
【特許文献１】特開平５−２４６６６５号公報
【発明の開示】
【発明が解決しようとする課題】
【０００５】
上記従来の小荷物昇降機では、カゴ戸を閉じ位置に維持することができるものの、カゴ戸が閉じ位置に位置している状態において、カゴの出し入れ口の周縁部とカゴ戸との間に隙間が形成されるものであった。
【０００６】
そのため、従来の小荷物昇降機のカゴを昇降させると、昇降作動による気流の変化の影響を受け、カゴとカゴ戸との間に形成される隙間から空気が流出入することにより、カゴの昇降作動中にカゴの内部と外部とにおける熱交換が促進されることになる。
【０００７】
したがって、従来の小荷物昇降機では、昇降作動中にカゴの内部と外部との間での熱交換が促進されるため、温かい料理や冷たい飲み物などを昇降搬送する場合に、昇降作動中に温かい料理が冷め易く、また、冷たい飲み物がぬるくなり易いという問題、つまり、保温効果が低いという問題があった。
【０００８】
本発明は上記実状に鑑みて為されたものであって、その目的は、カゴの昇降作動中における搬送対象物の温度変化を抑制することができる保温効果の高いカゴを備えた小荷物昇降機を提供する点にある。
【課題を解決するための手段】
【０００９】
本発明にかかる小荷物昇降機は、小荷物を出し入れする出し入れ口を備えた小荷物搬送用のカゴと、前記出し入れ口を開閉するように前記カゴに設けたスライド開閉式のカゴ戸とが設けられたものであって、その第１特徴構成は、前記カゴの出し入れ口の周縁部と閉じ位置の前記カゴ戸との間を遮蔽する遮蔽手段が設けられている点にある。
【００１０】
本発明の第１特徴構成によると、遮蔽手段がカゴの出し入れ口の周縁部と閉じ位置のカゴ戸との間を遮蔽するので、カゴの出し入れ口の周縁部と閉じ位置のカゴ戸との間に隙間を塞いだ状態にすることができる。したがって、カゴ戸を閉じ位置にしてカゴを昇降作動させても、カゴ内部とカゴ外部との間における空気の流出入が促進されず、カゴの内部と外部との間での熱交換を抑制できるので、昇降作動中における搬送対象物の温度変化を抑制することができる。
【００１１】
このように、本発明の第１特徴構成によると、カゴの昇降作動中における搬送対象物の温度変化を抑制することができる保温効果の高いカゴを備えた小荷物昇降機を得るに至った。
【００１２】
本発明の第２特徴構成は、本発明の第１特徴構成において、遮蔽手段が、前記カゴ戸又は前記カゴに装備されて、相手側に対して接触作用するシール体にて構成されている点にある。
【００１３】
本発明の第２特徴構成によると、カゴ又はカゴ戸の何れか一方にシール体を装備するか、カゴ及びカゴ戸の双方にシール体を装備するかの簡単な構成により、遮蔽手段を構成できる。
【００１４】
このように、本発明の第２特徴構成によると、カゴの昇降作動中における搬送対象物の温度変化を抑制することができる保温効果の高いカゴを備えた小荷物昇降機を簡単な構成により得るに至った。
【００１５】
本発明の第３特徴構成は、本発明の第１特徴構成において、前記遮蔽手段が、前記カゴ戸を閉じ位置において前記カゴの出し入れ口の周縁部に接近又は密着する状態に位置させるように前記カゴ戸を移動させるカゴ戸接近移動操作手段にて構成されている点にある。
【００１６】
本発明の第３特徴構成によると、遮蔽手段としてのカゴ戸接近移動操作手段が、スライド開閉式のカゴ戸を、閉じ位置においてカゴの出し入れ口の周縁部に接近又は密着する状態に位置させるように前記カゴ戸を移動させるので、カゴ戸を、閉じ位置においてカゴの出し入れ口の周縁部に接近又は密着する状態で位置させることができる。
【００１７】
したがって、カゴの出し入れ口の周縁部に接する平面からカゴ外方側に離れた位置をカゴ戸が経由させることでスライド開閉式のカゴ戸を円滑に開閉作動させようとする場合に、カゴ戸を閉じ位置に位置させれば、カゴ戸接近移動操作手段により、カゴ戸がカゴの出し入れ口の周縁部に接近又は密着する状態となるので、カゴの出し入れ口の周縁部と閉じ位置のカゴ戸との間を的確に遮蔽することができる。
【００１８】
このように、本発明の第３特徴構成によると、カゴの出し入れ口の周縁部と閉じ位置のカゴ戸との間を的確に遮蔽することができる点でより一層保温効果の高いカゴを備えた小荷物昇降機を得るに至った。
【００１９】
本発明の第４特徴構成は、本発明の第３特徴構成において、前記カゴ戸をスライド開閉自在に案内する案内機構が、前記カゴ戸を閉じ位置の近くから閉じ位置との間において閉じ位置に近づくほど前記カゴの出し入れ口の周縁部に接近する側に案内するように構成されて、前記カゴ戸接近移動操作手段として機能するように構成されている点にある。
【００２０】
本発明の第４特徴構成によると、前記案内機構を設けることで、カゴ戸をスライド開閉自在に案内することができ、しかも、その案内機構が、閉じ位置に近づくほどカゴの出し入れ口の周縁部に接近する側に案内するので、案内機構が前記カゴ戸接近移動操作手段を兼ねることになり、前記案内機構とは別にカゴ戸接近移動操作手段を設ける必要がなく、構成の簡素化を図ることができる。
【００２１】
このように、本発明の第４特徴構成によると、カゴの出し入れ口の周縁部と閉じ位置のカゴ戸との間を的確に遮蔽することができる保温効果の高いカゴを備え、しかも、構成の簡素化を図ることができる小荷物昇降機を得るに至った。
【００２２】
本発明の第５特徴構成は、本発明の第１特徴構成において、前記カゴ戸の両横側部をスライド開閉自在に案内する案内枠が、案内作用部にて前記カゴ戸の両横側部を嵌合支持する状態で、且つ、前記案内作用部と前記カゴとの間を遮蔽する遮蔽部を備える状態で設けられて、前記遮蔽手段の少なくとも一部として機能するように構成されている点にある。
【００２３】
本発明の第５特徴構成によると、案内枠を、その案内作用部にてカゴ戸の両横側部を嵌合支持する状態で、且つ、案内作用部とカゴとの間を遮蔽する遮蔽部を備える状態で設けることにより、カゴの出し入れ口の周縁部と閉じ位置のカゴ戸との間を遮蔽することができるので、長期間の運用によりカゴ戸の開閉作動が繰り返し行われても、耐磨耗性において不利なシール体を用いた場合に比べ、カゴの出し入れ口の周縁部と閉じ位置のカゴ戸との間を遮蔽する状態を維持し易いものとなる。
【００２４】
このように、本発明の第５特徴構成によると、カゴの昇降作動中における搬送対象物の温度変化を抑制することができる保温効果の高いカゴを備え、しかも、その保温効果の高い状態を長期間にわたって維持できる小荷物昇降機を得るに至った。
【発明を実施するための最良の形態】
【００２５】
本発明の小荷物昇降機の実施形態について、図面に基づいて説明する
【００２６】
〔第１実施形態〕
本実施形態の小荷物昇降機は、１階に厨房が、２階及び３階に配膳室及び客室が設けられた複数フロアーを有するレストランに設置されているものであり、各階の出し入れ小口が、人の腰高さに合わせて設けられているテーブルタイプの小荷物昇降機である。そして、小荷物昇降機は、主に、１階の厨房から各階の配膳室へ、調理した料理を搬送し、各階の配膳室から１階の厨房へ、使用済みの食器を搬送する場合に使用される。
【００２７】
図１に示すように、小荷物昇降機は、１階から３階に連通する建物内の設置用空間に設けられた鉄骨製の昇降路１に沿って形成される昇降経路Ｌを昇降自在な小荷物搬送用のカゴ６と、ＡＣモータ、減速機、シーブ等で構成されて一対の巻き上げロープ９を巻き上げ又は繰り出すことでカゴ６を昇降駆動する昇降駆動手段としての巻上機１０と、各階の出し入れ小口Ｄに設置され、昇降指令手段としての複数の運転操作ボタン２０が備えられた操作盤ＰＮＬと、外部から動作用の電力が供給される受電盤や１階〜３階の各階の操作盤ＰＮＬの夫々に設けられた運転操作ボタン２０による昇降指令に基づいて、巻上機１０及び制動手段としてのディスクブレーキ（図示せず）の作動を制御する制御手段としての制御盤Ｈ等が内装された制御ボックスＣＢとを備えている。
【００２８】
昇降路１は、四隅に配設されたＨ鋼の柱部材２ａと柱部材同士を連結する中間ビーム２ｂで構成されるフレーム本体２等で構成されている。フレーム本体２には、鋼板製枠体の出し入れ小口下地材４が、１階〜３階の各階に設けられた出し入れ小口Ｄに対応する位置に設けられており、出し入れ小口下地材４を介して昇降路１と各階の出し入れ小口Ｄとが連結されている。
【００２９】
昇降路１の上端部には、前記制御ボックスＣＢが設けられている。フレーム本体２の制御ボックスＣＢの近傍にはマシンビーム受材３が設けられており、巻き上げロープ９が架けられた巻上機１０がこのマシンビーム受材３に固定部材により固定されている。なお、巻き上げロープ９の一方の端部には、カゴ６の昇降方向に平行に設けられた一対の直線状のガイドレール５の間にて昇降移動自在な釣合い重り１１が連結されている。この釣合い重り１１が、カゴ６の昇降作動に伴って、カゴ６の昇降方向と反対方向に昇降移動することで、巻上機１０の駆動負荷及びディスクブレーキの制動負荷を軽減できるようになっている。
【００３０】
昇降経路Ｌには、複数の停止位置として、各階の出し入れ小口Ｄに対応した適切な昇降位置が設定されており、カゴ６がこれらの昇降位置に位置するときにオンする停止位置検出手段としてのリードスイッチ（図示せず）が昇降経路Ｌ上に複数設けられている。そして、作業者が、運転操作ボタンにてカゴ６を昇降させる目的階を指令すると、作業者が指令した階における出し入れ小口Ｄに対応した適切な昇降位置が目標停止位置として指令され、指令された目標停止位置にカゴ６が停止するように、リードスイッチの検出情報に基づいて、巻上機１０及びディスクブレーキの作動が制御盤Ｈによりインバータ方式で制御される。
【００３１】
各階に設けられた出し入れ小口Ｄは、壁面に設けられた開口の左右両側及び上側の縁部に設けられた鋼板製の三方枠１２、当該開口のある階の床面からの高さが人の腰高さ（本実施形態では、７０ｃｍ）となるように開口の下辺に設けられたステンレス製の膳板１３、鉛直平面に沿って上下スライド自在な出し入れ小口戸１４、及び、前記操作盤ＰＮＬ等で構成されている。出し入れ小口Ｄの高さ方向及び幅方向の寸法は、カゴ６の筐体の高さ方向及び幅方向の寸法に対応したものとなっている。
【００３２】
出し入れ小口戸１４は、出し入れ小口Ｄの高さ方向の略中央位置にて上下２枚に分割された上下開き式の２枚戸で構成されており、出し入れ小口戸１４の小口上戸１４ａと小口下戸１４ｂは連動して互いに逆方向に上下スライド動作するように構成されている。
【００３３】
そして、開閉操作用の取手１５が設けられた小口上戸１４ａの下端部を上向きに引上げ操作して、三方枠１２の上側フレーム付近に位置させると、小口上戸１４ａと小口下戸１４ｂとが互いに離間して、小口下戸１４ｂの上端部が膳板１３と同レベルの高さ位置に位置し、出し入れ小口戸１４が開き位置に位置し、出し入れ小口Ｄは、開口が開放され開状態となる。
【００３４】
また、取手１５が設けられた小口上戸１４ａの下端部を下向きに引下げ操作して、出し入れ小口Ｄの高さ方向の略中央位置に位置させると、小口上戸１４ａと小口下戸１４ｂとが互いに接近して、小口下戸１４ｂの上端部が出し入れ小口Ｄの高さ方向の略中央位置に位置し、出し入れ小口戸１４が閉じ位置に位置し、出し入れ小口Ｄは、開口が閉塞された閉状態となる。
【００３５】
また、各階の出し入れ小口Ｄには、出し入れ小口戸１４が閉じ位置となると小口上戸１４ａの被検出部と当接してオンすることにより出し入れ小口戸１４が閉じ位置に位置していることを検出するリミットスイッチ（以下、出し入れ小口戸スイッチという）が設けられている。この出し入れ小口戸スイッチは、図示しない信号線により制御ボックスＣＢに内装された制御盤Ｈと電気的に接続されている。
【００３６】
制御盤Ｈは、いずれかの階の運転操作ボタン２０により昇降指令が指令されたときに、各階の出し入れ小口戸スイッチの検出情報に基づいていずれかの階の出し入れ小口戸１４が閉じ位置に位置していないと判別した場合には、カゴ６の昇降作動を開始せず、また、カゴ６の昇降作動を開始した後に各階の出し入れ小口戸スイッチの検出情報に基づいていずれかの階の出し入れ小口戸１４が閉じ位置でないと判別された場合には、カゴ６の昇降作動を緊急停止するように構成されている。
【００３７】
次にカゴ６の構造について説明する。図１〜図４に示すように、カゴ６は、側面の１つが開口して、小荷物を出し入れするための出し入れ口６Ｍが形成された直方体形状のステンレス製又は鋼板製の筐体で構成されている。具体的には、図２に示すように、背面を形成する背面パネル６Ｂ、左側面を形成する左パネル６Ｌ、右側面を形成する右パネル６Ｒ、底面を形成する底面パネル６Ｆ、及び、天面を形成する天面パネル６Ｓが、出し入れ口６Ｍを形成する状態で互いに接合されている。そして、左パネル６Ｌ、右パネル６Ｒ、底面パネル６Ｆ、及び、天面パネル６Ｓの夫々の出し入れ口６Ｍ側の端面により矩形状の周縁部Ｃが形成されている。
【００３８】
天面パネル６Ｓのカゴ外方側には、連結部材Ｊを介して巻き上げロープ９が連結されており、カゴ６は巻き上げロープ９にて吊り下げ支持されている。カゴ６には、出し入れ口６Ｍが位置する側面の上方側及び下方側に亘るカゴ枠８と、このカゴ枠８に案内されて出し入れ口を開閉するように上下にスライド開閉作動するカゴ戸７が設けられている。
【００３９】
図１及び図２に示すように、カゴ枠８は、カゴ戸７のスライド移動範囲の上下幅の全長に亘る長さの左右一対のカゴ戸レール１６と、左右一対のカゴ戸レール１６の各上端及び各下端を連結する上下一対の連結部材１７からなり、カゴ枠８には、遊転プーリー１８及びカゴ戸ワイヤ１９からなる上下機構ＵＤが設けられている。遊転プーリー１８は、上側の連結部材１７の左右の連結箇所付近の夫々に設けられ、左右一対の遊転プーリー１８の夫々にカゴ戸ワイヤ１９が巻回されている。カゴ戸ワイヤ１９の一方の端部は後述の上戸７ａに連結され、他方の端部は後述の下戸７ｂに連結されている。
【００４０】
図２〜図５に示すように、カゴ戸７は、カゴ戸レール１６の上側部分にて案内されて上向きに開き作動する上戸７ａと、カゴ戸レール１６の下側部分にて案内されて下向きに開き作動する下戸７ｂとからなる２枚戸である。上戸７ａ及び下戸７ｂの夫々の左右端面には、断面視がコの字状で、上戸７ａ及び下戸７ｂの夫々の上下高さ幅と略同じ長さの樹脂製長尺部材で構成されたガイドシュー２２が、カゴ６の外方側に突出する状態で設けられ、これらのガイドイドシュー２２がカゴ戸レール１６の案内部分１６ｇに対して上下摺動自在に係合している。
【００４１】
このような構成により、上戸７ａ及び下戸７ｂは連動して互いに逆方向にカゴ戸レール１６に案内されながら、出し入れ口６Ｍを開閉するように上下スライド動作するようになっている。
【００４２】
カゴ戸７のスライド開閉動作について説明を加えると、上戸７ａと下戸７ｂとが開き作動により互いに離間して、上戸７ａが、その下端部７ａＢがカゴ６の天面パネル６Ｓ付近に位置する開き位置に位置すると、下戸７ｂは、その上端部７ｂＴがカゴ６の底面パネル６Ｆと同レベルの高さ位置に位置し、カゴ６の出し入れ口６Ｍが開状態（図２に示す状態）となる。
【００４３】
また、上戸７ａと下戸７ｂとが閉じ作動により互いに接近して、上戸７ａが、その下端部７ａＢがカゴ６の高さ方向の略中央位置に位置する閉じ位置に位置すると、下戸７ｂは、その上端部７ｂＴがカゴ６の高さ方向の略中央位置に位置する閉じ位置に位置し、上戸７ａの下端部７ａＢと下戸７ｂの上端部７ｂＴとがカゴ６の高さ方向の略中央位置にて当接し、カゴ６の出し入れ口６Ｍが閉状態（図４（イ）に示す状態）となる。
【００４４】
閉じ位置の上戸７ａと閉じ位置の下戸７ｂとの合口部分の隙間、つまり、上戸７ａの下端部７ａＢと下戸７ｂの上端部７ｂＴとが当接する部分の隙間を遮蔽する合口スポンジ２１が、上戸７ａの下端部７ａＢの左右方向に沿って設けられている。
【００４５】
この合口スポンジ２１を設けることで、閉じ位置の上戸７ａと閉じ位置の下戸７ｂとが合口スポンジ２１を介して当接することになるので、閉じ位置の上戸７ａと閉じ位置の下戸７ｂとの合口部分の隙間を遮蔽してカゴ内部とカゴ外部との間での熱交換を抑制することができる。このように、合口スポンジ２１は、カゴ内部とカゴ外部との間での熱交換を抑制する断熱手段として機能している。また、合口スポンジ２１により、上戸７ａと下戸７ｂとが衝突する際の衝撃を緩和することができるので、カゴ戸７を閉じ操作した場合の衝撃音の低減やカゴ戸７等の損傷の防止を図ることができる。このように、合口スポンジ２１は、上戸７ａと下戸７ｂとの間で生じる衝撃を緩和する緩衝手段として機能している。
【００４６】
なお、カゴ戸７には、出し入れ小口戸１４の開閉作動に連係してカゴ戸７を開閉させる図示しない連係機構が備えられており、カゴ６が出し入れ小口Ｄに対応する適切な昇降位置に停止した状態で、その出し入れ小口Ｄが備える出し入れ小口戸１４が開閉操作されると、出し入れ小口戸１４の開閉作動に連動してカゴ戸７が開閉作動するようになっている。
【００４７】
カゴ戸７には、カゴ６の出し入れ口６Ｍの周縁部Ｃと閉じ位置のカゴ戸７との間を遮蔽する遮蔽手段としての戸当りゴムＲが設けられている。上戸７ａについて詳しく説明すると、図５に示すように、上戸７ａの裏面側（カゴ６の内方側）において、上側端部付近に天面用戸当りゴム２３が、左側端部付近に左側面上方用戸当りゴム２４が、そして、右側端部付近に右側面上方用戸当りゴム２５が設けられている。
【００４８】
図６及び図７に示すように、天面用戸当りゴム２３は、取り付け部２３ａとブレード部２３ｂとを備え、断面視Ｔ字状の弾性体で構成されている。取り付け部２３ａは、上戸７ａの裏面の上側端部付近に上側端部に沿って取り付けられており、ブレード部２３ｂは、自然状態において図６において実線で示すような略水平姿勢を保持するようになっている。
【００４９】
また、ブレード部２３ｂの先端と取り付け部２３ａの上戸７ａへの取付面との距離Ｌ１（図６参照）は、カゴ６の出し入れ口６Ｍの周縁部Ｃの上辺と、閉じ位置に位置する上戸７ａの裏面の上側端部との間に形成される隙間の水平距離Ｇ（図３参照）より約５０％だけ長くなっている。したがって、上戸７ａが閉じ位置に位置していると、ブレード部２３ｂは、図４（イ）及び図７で示すように湾曲した形状に弾性変形して、出し入れ口６Ｍの周縁部Ｃの上辺に対して接触作用している。つまり、天面用戸当りゴム２３は、本発明のシール体として機能している。
【００５０】
図８及び図９に示すように、左側面上方用戸当りゴム２４は、取り付け部２４ａと断面視Ｖ字状乃至Ｕ字状の突起部２４ｂとを備えた弾性体で構成されている。自然状態における突起部２４ｂの先端と取り付け部２４ａの上戸７ａへの取付面との距離Ｌ２（図８参照）は、カゴ６の出し入れ口６Ｍの周縁部Ｃの左右の辺と、閉じ位置に位置する上戸７ａの裏面の左右側端部との間に形成される隙間の水平距離Ｇ（図４（イ）参照。）より数％だけ長くなっている。したがって、上戸７ａが閉じ位置に位置していると、突起部２４ｂは、自然状態における距離Ｌ２が水平距離Ｇと同じになる形状に弾性変形して、出し入れ口６Ｍの周縁部Ｃの左右の辺に対して接触作用している。つまり、左側面上方用戸当りゴム２４は、本発明のシール体として機能している。
【００５１】
また、突起部２４ｂの先端は先細りの形状となっているので、突起部２４ｂと出し入れ口６Ｍの周縁部Ｃの左右の辺との接触面積を極力小さくすることができ、これにより、上戸７ａを上下スライド作動させる場合に、突起部２４ｂと周縁部Ｃの左右の辺との間で発生する摺動抵抗を極力小さくして上戸７ａの上下開閉作動の円滑化を図ることができる。
【００５２】
右側面上方用戸当りゴム２５については、その取付箇所以外は上述した左側面上方用戸当りゴム２４と同様の構成となっており、本発明のシール体として機能している。なお、右側面上方用戸当りゴム２５と左側面上方用戸当りゴム２４とを同一部材とすることにより部材の共用化による低コスト化を図っている。また、下戸７ｂについても、図４に示すように、上戸７と同様にその裏面において下側端部付近に底面用戸当りゴム２６が、左側端部付近に左側面下方用戸当りゴム（図示せず）が、そして、右側端部付近に右側面下方用戸当りゴム２８が設けられており、これらの戸当りゴムが本発明のシール体として機能している。
【００５３】
以上のように、カゴ戸７の上戸７ａに設けられた天面用戸当りゴム２３、左側面上方用戸当りゴム２４、及び、右側面上方用戸当りゴム２５、並びに、カゴ戸７の下戸７ｂに設けられた底面用戸当りゴム２６、左側面下方用戸当りゴム（図示せず）、及び、右側面下方用戸当りゴム２８からなる戸当りゴムＲが本発明のシール体として機能しており、カゴ６の出し入れ口６Ｍの周縁部Ｃと閉じ位置のカゴ戸７との間を遮蔽する遮蔽手段を構成している。
【００５４】
〔第２実施形態〕
本実施形態の小荷物昇降機は、カゴ６のカゴ戸７及びカゴ枠８の構成が異なるほかは、第１実施形態で示したものと同じ構成であるので、以下、カゴ６のカゴ戸７及びカゴ枠８の構成について説明する。なお、第１実施形態と共通する構成については、同一の符号を用いて一部説明を省略している。
【００５５】
図１０に示すように、本実施形態におけるカゴ戸７の上戸７ａには、その左右両側部において、被案内体としての左右一対の上側ガイドローラ３０Ｈ及び左右一対の下側ガイドローラ３０Ｌが設けられている。上戸７ａの裏面側の周縁部には戸当りゴム枠３１が貼り付けられ、下端部の下面には合口スポンジ２１が取り付けられている。
【００５６】
図１１に示すように、カゴ枠８の左右一対のカゴ戸レール１６は、コの字部材の開口側面に、案内体としてのガイド溝３３がプレス形成された板部材を接合した四角パイプで構成されている。そして、左右のカゴ戸レール１６のガイド溝３３が互いに対向する状態で左右のカゴ戸レール１６が連結部材１７にて連結されてカゴ枠８が構成されている。
【００５７】
カゴ戸レール１６の上部側に上下に並べて形成された第１ガイド溝３３ａＨ及び第２ガイド溝３３ａＬは、夫々、上戸７ａの上側ガイドローラ３０Ｈ及び下側ガイドローラ３０Ｌを案内するものであり、カゴ戸レール１６の下部側に上下に並べて形成された第３ガイド溝３３ｂＨ及び第４ガイド溝３３ｂＬは、夫々、下戸７ｂの上側ガイドローラ３２Ｈ及び下側ガイドローラ３２Ｌを案内するものである。
【００５８】
カゴ戸レール１６の上部側の上戸案内用の第１ガイド溝３３ａＨ及び第２ガイド溝３３ａＬについて説明すると、図１１及び図１２に示すように、これらの４つのガイド溝３３はいずれも、ガイド溝幅が上側ガイドローラ３０Ｈ及び左右一対の下側ガイドローラ３０Ｌのローラ本体の直径よりも僅かに大きい寸法で、溝深さが上側ガイドローラ３０Ｈ及び左右一対の下側ガイドローラ３０Ｌのローラ本体の厚みと略同じ寸法となるように形成されており、上側ガイドローラ３０Ｈ及び下側ガイドローラ３０Ｌのローラ本体が、第１ガイド溝３３ａＨ及び第２ガイド溝３３ａＬに嵌合している。
【００５９】
図１２に示すように、カゴ戸レール１６の上部側の４つのガイド溝３３の形状は、下方側ほどカゴ６の出し入れ口６Ｍ側に位置するような形状となっており、上戸７ａを上下スライド作動させると、第１ガイド溝３３ａＨ及び第２ガイド溝３３ａＬに、上戸７ａの上側ガイドローラ３０Ｈ及び下側ガイドローラ３０Ｌが案内されることで、上戸７ａが閉じ位置の近くから閉じ位置との間において閉じ位置に近づくほどカゴ６の出し入れ口６Ｍの周縁部Ｃに接近する側に案内されるようになっている。
【００６０】
下戸７ｂについても上戸７ａと同様に、カゴ戸レール１６の下部側のガイド溝３３に上側ガイドローラ３２Ｈ及び下側ガイドローラ３２Ｌが嵌合している。カゴ戸レール１６の下部側の４つのガイド溝３３の形状は、上方側ほどカゴ６の出し入れ口６Ｍ側に位置するような形状となっており、下戸７ａを上下スライド作動させると、下戸７ｂに設けられた上側ガイドローラ３２Ｈ及び下側ガイドローラ３２Ｌが、カゴ戸レール１６の下部側の４つのガイド溝（左右一対の第３ガイド溝３３ｂＨ及び第４ガイド溝３３ｂＬ）に案内されることで、下戸７ｂが、閉じ位置の近くから閉じ位置との間において閉じ位置に近づくほどカゴ６の出し入れ口６Ｍの周縁部Ｃに接近する側に案内されるようになっている。
【００６１】
つまり、上戸７ａの上側ガイドローラ３０Ｈ及び下側ガイドローラ３０Ｌ、並びに、下戸７ｂの上側ガイドローラ３２Ｈ及び下側ガイドローラ３２Ｌと、カゴ戸レール１６とによりカゴ戸７をスライド開閉自在に案内する案内機構が構成されており、この案内機構が、カゴ戸７を閉じ位置においてカゴ６の出し入れ口６Ｍの周縁部Ｃに接近又は密着する状態に位置させるようにカゴ戸を移動させる。つまり、案内機構が、本発明のカゴ戸接近移動操作手段として機能している。
【００６２】
そして、図１１（ロ）及び図１２（ロ）に示すように、上戸７ａ及び下戸７ｂの夫々が閉じ位置においてカゴ６の出し入れ口６Ｍの周縁部Ｃに接近又は密着する状態になると、弾性体である戸当りゴム枠３１が出し入れ口６Ｍの周縁部Ｃに押し付けられて弾性変形して上戸７ａ及び下戸７ｂが周縁部Ｃに密着するので、カゴ６の出し入れ口６Ｍの周縁部Ｃと閉じ位置の上戸７ａ及び下戸７ｂとの間を遮蔽することができる。このように、本実施形態では、遮蔽手段がカゴ戸接近移動操作手段にて構成されている。
【００６３】
〔第３実施形態〕
本実施形態の小荷物昇降機は、カゴ６のカゴ戸７及びカゴ枠８の構成が異なるほかは、第１実施形態で示したものと同じ構成であるので、以下、カゴ６のカゴ戸７及びカゴ枠８の構成について説明する。なお、カゴ戸７及びカゴ枠８は、左右対称の構成となっているので、以下ではカゴ戸７及びカゴ枠８の左側の構成について説明することにし、右側の構成については説明を省略する。また、第１実施形態と共通する構成については同一の符号を用いて一部説明を省略している。
【００６４】
図１３及び図１４に示すように、カゴ枠８のカゴ戸レール１６は、カゴ戸７の上下スライド方向を長手方向とする長尺板状部材を断面視がクランク形状となるように折り曲げ加工して形成してあり、取り付け部分１６ａ及び案内部分１６ｇが形成されている。カゴ６の左パネル６Ｌのカゴ戸７側の端面４１に、カゴ戸７の上下スライド方向を長手方向とする長尺板状部材を断面視がＪ字形状となるように折り曲げ加工して形成した遮蔽部材４２と、前記カゴ戸レール１６とが取り付けボルト４３により上下複数箇所にて共締めされている。
【００６５】
カゴ戸レール１６の案内部分１６ｇと左パネル６Ｌの端面４１との間に、遮蔽部材４２の折り曲げ加工した屈曲部分４２ａが位置しており、この屈曲部分４２ａが案内部分１６ｇと後述のカゴ戸７のフランジ部４４との間を遮蔽する遮蔽部として機能している。
【００６６】
カゴ戸７の構成について上戸７ａを例に説明すると、上戸７ａの表面（カゴ６の外方側の面）の左側端部には、平板状の被案内部としてのフランジ部４４が折り曲げ加工により形成されている。そして、上戸７ａの左側の平板状の被案内部としてのフランジ部４４が、左側のカゴ戸レール１６と遮蔽部材４２とで形成される案内作用部としての凹入状の案内溝４５に嵌合している。また、上戸７ａの裏面の上端部付近に天面用戸当たりゴム２３が設けられている。
【００６７】
同様に、下戸７ｂの左側のフランジ部が、左側のカゴ戸レール１６と遮蔽部材とで形成される案内溝に嵌合している。また、下戸７ｂの裏面の下端部付近に底面用戸当たりゴム２６が設けられている。
【００６８】
上記の構成により、案内枠としてのカゴ枠８は、カゴ戸７の両横側部をスライド開閉自在に案内するように構成され、カゴ枠８が、案内作用部としての案内部分１６ｇにてカゴ戸７の両横側部を嵌合支持する状態で、且つ、案内部分１６ｇとカゴ６との間を遮蔽する遮蔽部としての屈曲部分４２ａを備える状態で設けられている。
【００６９】
そして、カゴ戸７がカゴ枠８により案内されて閉じ位置に位置すると、出し入れ口６Ｍの周縁部Ｃと閉じ位置のカゴ戸７との間のうち周縁部Ｃの上下の各辺に対応する部分が、天面用戸当たりゴム２３及び底面用戸当たりゴム２６にて遮蔽され、同時に、出し入れ口６Ｍの周縁部Ｃと閉じ位置のカゴ戸７との間のうち周縁部Ｃの左右の各辺に対応する部分が、カゴ枠８の左右の遮蔽部材における各屈曲部分により遮蔽される。したがって、カゴ枠８が、本発明の遮蔽手段の少なくとも一部として機能している。
【００７０】
〔別実施形態〕
以下、別実施形態を列記する。
【００７１】
（１）上記各実施形態では、カゴ戸７に、出し入れ小口戸１４の開閉作動に連係してカゴ戸７を開閉させる連係機構が備えられたものを例示したが、これに代えて、カゴ戸７を開閉駆動させる開閉駆動手段としてカゴ戸モータを設けて構成されたものであってもよい。なお、この場合、複数の開閉駆動手段を設けて、上戸７ａと下戸７ｂが個別に開閉作動するように構成してもよいし、単一の開閉駆動手段を設けて、上戸７ａと下戸７ｂが連動して開閉作動するように構成してもよい。
【００７２】
（２）上記各実施形態では、カゴ戸７が上戸７ａ及び下戸７ｂを備えた２枚戸であるものを例示したが、これに代えて、カゴ戸７が１枚戸で構成されたものであってもよい。
【００７３】
（３）上記各実施形態では、上下機構ＵＤが、遊転プーリー１８及びカゴ戸ワイヤ１９からなるものを例示したが、これに代えて、上下機構ＵＤが、遊転スプロケット及びカゴ戸チェーンからなるものであってもよい。
【００７４】
（４）上記第１実施形態では、天面用戸当りゴム２３及び底面用戸当りゴム２６、並びに、左側面上方用戸当りゴム２４、右側面上方用戸当りゴム２５、左側面下方用戸当りゴム（図示せず）、及び、右側面下方用戸当りゴム２８が、カゴ戸７に設けられたものを例示したが、これに代えて、これらの戸当りゴムの一部又は全部がカゴ６の周縁部Ｃに設けられたものであってもよい。
【００７５】
（５）上記第１実施形態では、カゴの左右の各側面パネルの上下の夫々に対応したシール体として、先端側ほど厚みが薄くなる突起を備えた左側面上方用戸当りゴム２４、及び、右側面上方用戸当りゴム２５、並びに、左側面下方用戸当りゴム（図示せず）、及び、右側面下方用戸当りゴム２８で構成されたものを例示したが、これに代えて、カゴの左右の各側面パネルの上下の夫々に対応したシール体として、天面用戸当りゴム２３及び底面用戸当りゴム２６と断面視形状が同一の弾性部材、つまり、自然状態で取り付け部に対して直立するブレード部を備えた弾性部材で構成されたものであってもよい。
【００７６】
この場合、カゴ戸７に設けるシール体の全てを断面視形状が同一の弾性部材を使用することができるので、例えば、巻取り状態で供給される弾性部材を手配して、適切な長さに切断して各部分に取り付けるべきシール体を得ることが可能となり、コスト面で有利となる。
【００７７】
（６）上記第２実施形態では、カゴ戸接近移動操作手段が、カゴ戸をスライド開閉自在に案内する案内機構にて構成されたものを例示したが、これに限らず、例えば、カゴに、電動モータ等からなる密着操作機構を設けて、カゴ戸が閉じ位置に位置すると、密着操作機構が、カゴ戸を出し入れ口に接近又は密着させる方向に移動させるように構成されたものであってもよい。
【００７８】
（７）上記第３実施形態では、案内枠８が、案内作用部としての凹入状の案内溝４５を備え、カゴ戸７に、凹入状の案内溝４５に嵌合される平板状の被案内部としてのフランジ部４４を備えさせる場合を例示したが、これに代えて、案内枠８が、案内作用部としての平板状のフランジ部を備え、カゴ戸７に、被案内部としての凹入状の案内溝を備えさせたものであってもよい。
【図面の簡単な説明】
【００７９】
【図１】小荷物昇降機の要部斜視図
【図２】第１実施形態におけるカゴ及びカゴ枠の斜視図
【図３】第１実施形態におけるカゴの横断平面図
【図４】第１実施形態におけるカゴの縦断側面図
【図５】第１実施形態における上戸の斜視図
【図６】図５のＡ−Ａ矢視断面図
【図７】天面用戸当りゴムの外観図
【図８】図５のＢ−Ｂ矢視断面図
【図９】左側面上方用戸当りゴムの外観図
【図１０】第２実施形態におけるカゴ枠及びカゴ戸の分解斜視図
【図１１】第２実施形態におけるカゴ戸周辺の横断平面図
【図１２】第２実施形態における上戸周辺の縦断側面図
【図１３】第３実施形態における上戸の左側のカゴ戸レール周辺の横断平面図
【図１４】第３実施形態における上戸の左側のカゴ戸レール周辺の横断斜視図
【符号の説明】
【００８０】
Ｃ      周縁部
Ｒ      シール体（遮蔽手段）
６      カゴ
６Ｍ    出し入れ口
７      カゴ戸
８      案内枠（遮蔽手段）
１６ｇ  案内作用部
３０Ｈ、３０Ｌ、３２Ｈ、３２Ｌ、３３  案内機構（カゴ戸接近移動操作手段、遮蔽手段）
４２ａ  遮蔽部
【図１】
2008214015.tif 000003
【図２】
2008214015.tif 000004
【図３】
2008214015.tif 000005
【図４】
2008214015.tif 000006
【図５】
2008214015.tif 000007
【図６】
2008214015.tif 000008
【図７】
2008214015.tif 000009
【図８】
2008214015.tif 000010
【図９】
2008214015.tif 000011
【図１０】
2008214015.tif 000012
【図１１】
2008214015.tif 000013
【図１２】
2008214015.tif 000014
【図１３】
2008214015.tif 000015
【図１４】
2008214015.tif 000016